(57)【要約】【課題】  正しいスイングを容易に体感して、理想的な美しいスイングを効率よく習得することができるゴルフ練習器具を提供する。【解決手段】  シャフト２と、シャフト２の基端側に設けられたグリップ３と、シャフト２の先端側に設けられたヘッド４とを備えるゴルフ練習器具１であって、シャフト２は、使用者がグリップ３を把持したアドレスの状態で、先端側が使用者の正面方向に向けて湾曲する。シャフト２は、略全体が一定の曲率で円弧状に湾曲することが好ましい。【選択図】  図１
0003206589.tif 000002
【実用新案登録請求の範囲】
【請求項１】
シャフトと、前記シャフトの基端側に設けられたグリップと、前記シャフトの先端側に設けられたヘッドとを備えるゴルフ練習器具であって、
前記シャフトは、使用者が前記グリップを把持したアドレスの状態で、先端側が使用者の正面方向に向けて湾曲するゴルフ練習器具。
【請求項２】
前記シャフトは、略全体が一定の曲率で円弧状に湾曲する請求項１に記載のゴルフ練習器具。
【考案の詳細な説明】
【技術分野】
【０００１】
本考案は、ゴルフクラブのスイング練習に使用するゴルフ練習器具に関する。
【背景技術】
【０００２】
ゴルフクラブの正しいスイングを効率よく身に着けるため、種々のゴルフ練習器具が従来から開発されている。例えば、特許文献１には、シャフトの両端にそれぞれ装着したグリップに錘を挿入して、スイング時にゴルフクラブの撓りと戻りを体感し易いように構成されたゴルフスイング練習器具が開示されている。
【先行技術文献】
【特許文献】
【０００３】
【特許文献１】特開２０１５−３７５２１号公報
【考案の概要】
【考案が解決しようとする課題】
【０００４】
ところが、従来のゴルフ練習器具は、通常のゴルフクラブと同様にシャフトが直線状に形成されていることから、スイング時に発生する慣性モーメントが小さいため、使用者が正しいスイングを体感し難いという問題があった。
【０００５】
そこで、本考案は、正しいスイングを容易に体感して、理想的な美しいスイングを効率よく習得することができるゴルフ練習器具の提供を目的とする。
【課題を解決するための手段】
【０００６】
本考案の前記目的は、シャフトと、前記シャフトの基端側に設けられたグリップと、前記シャフトの先端側に設けられたヘッドとを備えるゴルフ練習器具であって、前記シャフトは、使用者が前記グリップを把持したアドレスの状態で、先端側が使用者の正面方向に向けて湾曲するゴルフ練習器具により達成される。
【０００７】
このゴルフ練習器具において、前記シャフトは、略全体が一定の曲率で円弧状に湾曲することが好ましい。
【考案の効果】
【０００８】
本考案によれば、正しいスイングを容易に体感することができ、理想的な美しいスイングを効率よく習得することができるゴルフ練習器具を提供することができる。
【図面の簡単な説明】
【０００９】
【図１】本考案の一実施形態に係るゴルフ練習器具の側面図である。
【図２】図１に示すゴルフ練習器具の正面図である。
【図３】図１に示すゴルフ練習器具の要部断面図である。
【図４】図１に示すゴルフ練習器具の使用状態を後方から見た側面図である。
【考案を実施するための形態】
【００１０】
以下、本考案の一実施形態について添付図面を参照しつつ説明する。図１および図２は、本考案の一実施形態に係るゴルフ練習器具の側面図および正面図である。図１および図２に示すように、ゴルフ練習器具１は、シャフト２の基端側および先端側に、グリップ３およびヘッド４がそれぞれ設けられて構成されている。
【００１１】
シャフト２は、金属や硬質樹脂等からなる筒状の部材であり、塑性変形により一方向に湾曲させた形状を有している。シャフト２は、一部のみが湾曲する形状であってもよいが、図１に示すように、略全体が一定の曲率で円弧状に形成されていることが好ましい。シャフト２の曲率の大きさは特に限定されないが、スイング中に慣性モーメントを容易に体感できる程度に湾曲していることが好ましく、且つ、持ち運びが便利になるようにキャディーバッグ等に収容可能な程度であることが好ましい。
【００１２】
グリップ３およびヘッド４は、いずれも一般的なゴルフクラブと同様のものを使用することができるが、本実施形態のゴルフ練習器具１は素振り用であり、実際にゴルフボールを打撃する必要はないことから、ヘッド４の形状を球状としている。グリップ３には、シャフト２の湾曲方向となる上側に、線や文字等のマーク部３ａが形成されている。
【００１３】
図３に要部断面図で示すように、ヘッド４には、シャフト２が挿通される貫通孔４ａが形成されており、シャフト２の先端に溶接等により固定された係止部材２ａが貫通孔４ａの周縁部に当接することにより、ヘッド４がシャフト２に装着されている。係止部材２ａは、貫通孔４ａに挿入されたキャップ４ｂにより被覆される。
【００１４】
本実施形態においては、ヘッド４がシャフト２に対して交換不能に固定されているが、ヘッド４をシャフト２に対して着脱可能に構成し、使用者に合わせてヘッド４の重量や大きさ、形状等を変更できるように構成してもよい。ヘッド４の材料は特に限定されず、例えば、樹脂、ゴム、金属等から形成することができる。
【００１５】
上記の構成を備えるゴルフ練習器具１は、図４に示すように、マーク部３ａが上方を向くように使用者Ｕがグリップ３を把持し、ゴルフスイングのアドレスの姿勢をとると、グリップ３の軸線Ｌは斜め下方の地面を向くのに対し、シャフト２は、上方に向けて湾曲しているために、先端が使用者Ｕの正面方向を向く状態になる。このため、使用者Ｕの両脇が自然に締まり、望ましいハンドダウンに構えることができる。なお、グリップ３のマーク部３ａは必ずしも必要ではなく、使用者Ｕがシャフト２の湾曲方向を基準にグリップ３を把持するようにしてもよい。このアドレスの状態から、素振りを繰り返し行うことで、後述するように、理想的なゴルフスイングの練習を行うことができる。
【００１６】
まず、このアドレスの状態からテイクバックを開始する。テイクバックの初動で誤ったオープンの動作を入れてしまうと、シャフト２が湾曲していることで大きく寝た状態になるため、左脇が空いてトップの位置にスムーズに上がらなくなる。したがって、スクエアな初動を自然に体感することができる。
【００１７】
シャフト２の湾曲によって、テイクバックの途中からはオープン方向への慣性モーメントが作用するため、トップの位置に向かうテイクバックの後半は、自然にローテーションが入る。このローテーション効果によって、右手首が正しく甲側に折れやすくなるため、トップの位置でゴルフ練習器具１の重さを容易に感じることができ、シャフトクロスやオーバースイング等のエラーを矯正することができる。
【００１８】
トップからダウンスイングにおいては、オープンの状態で行われると左脇が空いてしまい、グリップ３が浮いた状態でインパクトを迎えることになるため、シャフト２が立って降りてくる動きを理解することができ、左脇が締まったダウンスイングを行うことができる。インパクトにおいては、湾曲状のシャフト２の向きによって、スクエアな状態を目視および手の感覚で確認することができる。
【００１９】
インパクト後のフォロースルーは、シャフト２に大きな慣性モーメントが作用するために、正しいフォーアームローテーションが可能になる。これにより、左ひじのたたみがスムーズになり、フォロースルーで肘が引けるエラーを矯正することができる。この結果、正しくとれたフィニッシュと、肘が引けたフィニッシュとの違いを大きく感じとることができ、フィニッシュでのシャフト２の収まる場所と角度を正しく理解することができる。
【００２０】
このように、本実施形態のゴルフ練習器具１は、正しいスイングの全体を自然に行うことができるので、使用者Ｕの体の周りに綺麗なループの残像が残り、美しいスイングやスイングプレーンのイメージが形成される。この結果、初心者から上級者まで、理想的なスイングを効率よく習得することができ、パワーロスに繋がるスイング上の問題（ハンドアップのインパクト、体からグリップが離れたインパクト、スイングプレーンがいびつ、ダウンスイングでの右肘のリリースの遅れ、フォロースルーでの左肘の引け、インパクト時の左グリップのゆるみ等）を解消することができる。
【符号の説明】
【００２１】
１  ゴルフ練習器具
２  シャフト
３  グリップ
４  ヘッド
【図１】
0003206589.tif 000003
【図２】
0003206589.tif 000004
【図３】
0003206589.tif 000005
【図４】
0003206589.tif 000006